(57)【要約】【課題】本発明は電子決済方法を提供する。【解決手段】本発明の電子決済方法は売上債券発行社が受領社に売上債券を発行すれば、受領社の金融機関で決済代行システムに売上債券が発行されたことを知らせ、決済代行システムに加入されたすべての社は受領した売上債券または電子証書を担保で発行社になって電子証書を発行し、電子証書を受けたすべての受領社は受けた電子証書を担保で新しい電子証書を発行しながった場合に当該の電子証書の現金化を決済代行システムに要請し、現金化が要請されれば決済代行システムは現金化が要請された電子証書と係わるすべての電子証書、売上債券の経路を追跡し、経路上にいるすべての社の金融勘定に現金化が進行される。【選択図】図１
2011528464.tif 000002
【特許請求の範囲】
【請求項１】
決済代行サーバーとネットワークと、前記ネットワークを通じて前記サーバーに接続される端末及び前記ネットワークに繋がれる金融機関サーバーを利用した電子決済方法において、
売上債券発行社から金融機関サーバーの金融勘定に売上債券が発行される売上債券発行段階と、
前記売上債券と係わるデータが前記決済代行サーバーの決済代行勘定に伝送される売上債券データ伝送段階と、
既受領した売上債券または電子証書を担保で発行社の決済代行勘定から
受領社の決済代行勘定に現金化手数料率が決まった電子証書が発行される電子証書の発行段階と、
前記受領社が発行社になって、他の受領社の決済代行勘定に前記電子証書の発行段階が遂行される繰り返し段階と、
前記電子証書の発行段階または前記繰り返し段階で発行された電子証書の担保になった既受領した売上債券または電子証書が、担保された金額位支給停止されるとか支給要請が不能化される支給停止段階と、
受領社が受領した電子証書の内でいずれか一つの電子証書に対する現金支給が要請される支給要請段階と、
前記決済代行サーバーで前記支給要請段階で現金支給が要請された電子証書と係わるすべての電子証書または売上債券の経路を追跡する追跡段階と、
前記追跡段階で追跡された経路中、満了日が渡来しなかった売上債券がある場合には前記売上債券を現金化し、満了日が渡来しなかった最初の電子証書から順にそれぞれの電子証書に記載した現金化手数料率を適用し現金化手数料を控除し連携された金融勘定に入金させ現金化させる現金化段階とを有する電子決済方法。
【請求項２】
前記電子証書の発行段階次に、発行した電子証書のデータが前記金融機関サーバーに通報される電子証書データ通報段階と、
前記電子証書の満了日が渡来すれば、発行社の金融勘定から受領社の金融勘定に電子証書に記載した金額が支給される電子証書額支給段階と、
発行社が既受領した売上債券または電子証書の満了日が渡来すれば、前記既受領した売上債券または電子証書と連関されて発行された電子証書の金額位の現金が発行社の金融勘定で支給停止される現金支給停止段階と、を含む、請求項１記載の電子決済方法。
【請求項３】
前記現金化段階で、
前記売上債券の現金化は、前記売上債券に対して貸し出しを発生させるとか、
前記売上債券を所定の割引率を適用して買入し現金化することを特徴とする、請求項２記載の電子決済方法。
【請求項４】
前記現金化段階は、いずれか一つの電子証書の現金化手数料率によって控除した現金化手数料の内一部を前記電子証書の発行社に中小企業振興補償金で追加して支払うとか、
前記現金化段階でいずれか一つの電子証書の現金化手数料率によって控除した現金化手数料の内一部を前記電子証書の発行社に中小企業振興補償金で支払う中小企業振興報償金支給段階とを有する請求項２または３記載の電子決済方法。
【請求項５】
前記電子証書の発行段階は、
前記発行社に、発行社の決済代行勘定にある支給停止されなかった売上債券または電子証書の金額、現金化手数料率、満了期間を提示し、
支給停止させる売上債券または電子証書と金額が選択されれば、
前記金額による前記現金化手数料率の加重平均を求め、
前記加重平均に所定の数値が加わって発行する電子証書の現金化手数料率に提示されることを特徴とする、請求項２または３記載の電子決済方法。
【請求項６】
前記電子証書の発行段階は、
前記発行社に、発行社の決済代行勘定にある支給停止されなかった売上債券または電子証書の金額、現金化手数料率、満了期間を提示し、
支給停止させる売上債券または電子証書と金額が選択されれば、
前記金額による前記現金化手数料率の加重平均を求め、
前記加重平均に所定の数値が加わって発行する電子証書の現金化手数料率に提示されることを特徴とする、請求項４記載の電子決済方法。
【請求項７】
前記電子証書の発行段階は、
前記発行社の決済代行勘定にある支給停止されなかった売上債券または電子証書の金額から組合が可能な発行する電子証書の現金化手数料率を前記発行社に提示し選択するようにすることを特徴とする、請求項２または３記載の電子決済方法。
【請求項８】
前記電子証書の発行段階は、
前記発行社の決済代行勘定にある支給停止されなかった売上債券または電子証書の金額から組合が可能な発行する電子証書の現金化手数料率を前記発行社に提示し選択するようにすることを特徴とする、請求項４記載の電子決済方法。
【請求項９】
前記電子証書の発行段階は、
支給停止する売上債券または電子証書の満了期間の範囲を入力受け、
前記発行社の決済代行勘定にある支給停止されなかった売上債券または電子証書の満了期間が前記範囲にあたる売上債券または電子証書を前記組合の対象とすることを特徴とする、請求項７記載の電子決済方法。
【請求項１０】
前記電子証書の発行段階は、
支給停止する売上債券または電子証書の満了期間の範囲を入力受け、
前記発行社の決済代行勘定にある支給停止されなかった売上債券または電子証書の満了期間が前記範囲にあたる売上債券または電子証書を前記組合の対象とすることを特徴とする、請求項８記載の電子決済方法。
【発明の詳細な説明】
【技術分野】
【０００１】
本発明は、電子決済方法に関し、さらに詳細には売上債券発行社が受領社に売上債券を発行すれば、受領社の金融機関で決済代行システムで売上債券が発行されたことを知らせ、決済代行システムに加入されたすべての社は受領した売上債券または電子証書を担保で発行社になって電子証書を発行することができるし、電子証書を受けたすべての受領社は受けた電子証書を担保で新しい電子証書を発行しない場合に当該の電子証書の現金化を決済代行システムに要請することができるし、現金化が要請されれば決済代行システムは現金化が要請された電子証書と係わるすべての電子証書、売上債券の経路を追跡し、経路上にいるすべての社の金融勘定で現金化が進行されることで、発行社は既受領した購買カード代金、電子手形などの売上債券や、電子証書、現金、信用などを支給停止させ容易に電子証書を発行することができるし、受領社は支給停止されて担保が確かな電子証書を受領することができるし、必要によって電子証書をチープな手数料で容易に割引されることができる。
【０００２】
また、発行社は受領社が電子証書を現金化する場合に中小企業振興補償金を支払ってもらって追加的な収益をあげることができる効果がある電子決済方法に関する。
【背景技術】
【０００３】
引用発明は、発行社が受領社に電子証書を発行し、電子証書の満了日後に受領社の勘定で証書額が移替され、電子証書の満了日以前には受領社が電子証書の支給を要請する場合金融機関及びシステム提供業者に提供する費用と発行社に支給しなければならない費用を含む手数料を精算し精算額を支給する電子決済方法に関する。
【先行技術文献】
【特許文献】
【０００４】
【特許文献１】大韓民国公開特許第１０−２００７−００３９０１５号（出願番号：１０−２００７−００２８３８５号、引用発明）
【発明の概要】
【発明が解決しようとする課題】
【０００５】
しかし、前記した従来の引用発明は、受領社が電子証書の支給を要請する場合、発行社の勘定の電子証書が現金化されていないので、貸し出しを発生させなければならなく、上位勘定の電子証書も順に貸し出しを発生させなければならないという問題点があった。
【０００６】
すなわち、各段階別に貸し出しが発生されるためには各受領社が金融機関と貸し出し約定をしなければならないし、約定をするためには現在の金融システムでは受領社の信用度が含まれなければならないので現在の金融システムと乖離が発生され、また、貸し出しを発生させるようになれば実在金融機関の貸し出しは初段階の金額だけであるが段階別貸し出しが発生したことで処理され金融機関の貸し出しがたくさん発生したことに処理され全体貸し出し限度が減少され、充当金も全部積むようになって金融機関の収益減少と二重リスク管理をしなければならないなど多い問題点があった。
【０００７】
そこで、本発明は、前述した問題点に鑑みてなされたものであり、本発明の目的とするところは、発行社は既受領した購買カード代金、電子手形などの売上債券や、電子証書、現金、信用などを支給停止させ容易に電子証書を発行することができる電子決済方法を提供することにある。また、発行社は受領社が電子証書を現金化する場合に中小企業振興補償金を支払ってもらって追加的な収益をあげることができる電子決済方法を提供することにある。
【課題を解決するための手段】
【０００８】
前記課題を解決するために、本発明に係る電子決済方法は、決済代行サーバーとネットワークと、前記ネットワークを通じて前記サーバーに接続される端末及び前記ネットワークに繋がれる金融機関サーバーを利用した電子決済方法において、売上債券発行社から金融機関サーバーの金融勘定で売上債券が発行される売上債券発行段階と、前記売上債券と係わるデータが前記決済代行サーバーの決済代行勘定に伝送される売上債券データ伝送段階と、既受領した売上債券または電子証書を担保で発行社の決済代行勘定から受領社の決済代行勘定に現金化手数料率が決まった電子証書が発行される電子証書の発行段階と、前記受領社が発行社になって、他の受領社の決済代行勘定に前記電子証書の発行段階が遂行される繰り返し段階と、前記電子証書の発行段階または前記繰り返し段階で発行された電子証書の担保になった既受領した売上債券または電子証書が、担保された金額位支給停止されるとか支給要請が不能化される支給停止段階と、受領社が受領した電子証書の内でいずれか一つの電子証書対する現金支給が要請される支給要請段階と、前記決済代行サーバーで前記支給要請段階で現金支給が要請された電子証書と係わるすべての電子証書または売上債券の経路を追跡する追跡段階と、前記追跡段階で追跡された経路中、満了日が渡来しなかった売上債券がある場合には前記売上債券を現金化し、満了日が渡来しない最初の電子証書から順にそれぞれの電子証書に記載した現金化手数料率を適用し現金化手数料を控除し連携された金融勘定に入金させ現金化させる現金化段階とを有する。  
【０００９】
ここで、“発行社”、“受領社”はこれら社の勘定または本発明に係るシステムで決まった当該の社名義の勘定、口座などを意味する。“電子証書”は決済金額、債券などがあることを証明するとか満了日まで記載した金額の支給を約定する書類、電子書類または電子信号として、従来の購買カードによる決済、電子方式帳付け売上債券担保貸し出し、電子手形、電子債券などと類似とかこれを含む包括的な用語で使われる。“売上債券”は決済金額、債券などがあることを証明するとか満了日まで記載した金額の支給を約定する書類、本来意味の実物売上債券が金融機関に提示され電子化された電子データ、電子書類または電子信号として、従来の購買カードによる決済、電子方式帳付け売上債券担保貸し出し、電子手形、電子債券などと類似とかこれを含む包括的な用語で使われる。以下本明細書で同一である意味で使われる。
【発明の効果】
【００１０】
以上説明したように本発明によれば、発行社は既受領した購買カード代金、電子手形などの売上債券や、電子証書、現金、信用などを支給停止させ容易に電子証書を発行することができるし、受領社は支給停止され担保が確かな電子証書を受領することができるし、必要によって電子証書をチープな手数料で容易に割引されることができる。
【００１１】
また、発行社は受領社が電子証書を現金化する場合に中小企業振興補償金を支払ってもらって追加的な収益をあげることができる効果がある。
【図面の簡単な説明】
【００１２】
【図１】本発明の一実施形態に係るシステム構成図である。
【図２】本発明の一実施形態に係るデータフロー図である。
【発明を実施するための形態】
【００１３】
以下に添付図面を参照しながら、本発明の好適な実施の形態について詳細に説明する。しかし、これら図面は例示的な目的であるだけ本発明がここに限定されるのではない。
【００１４】
図１は本発明に係る一実施形態においてシステム構成図である。
【００１５】
図１を注意深く見れば、本発明は、決済代行サーバー１０、ネットワーク３０、端末機４０、金融機関サーバー５０で構成される。金融機関サーバー５０は銀行ネットワークを通じてネットワーク３０に接続される金融機関のサーバーを意味する。
【００１６】
決済代行サーバー１０は、会員ＤＢ１１、決済代行勘定ＤＢ１２、電子証書ＤＢ１３、売上債券データ受信モジュール１５、現金化手数料率設定モジュール１６、電子証書発行モジュール１７、支給要請モジュール１８、経路追跡モジュール１９、中小企業振興報償金支給モジュール２０を含む。
【００１７】
会員ＤＢ１１は発行社及び受領社が会員加入をしたことで会員には電子証書発行及び受領することができる権限が与えられる。電子証書を発行する社はアイディー、パスワード、公認認証書、ＯＴＰカードによるパスワード、ＵＳＢトークンなどを皆使うとか、これらの中一部だけの組合によって認証されてログインすることができるようにすることができる。
【００１８】
会員ＤＢ１１には電子証書を発行しないで、受領ばかりする場合にも会員で加入されることが望ましい。
【００１９】
決済代行勘定ＤＢ１２は各会員別で発行したとか受領した売上債券（金融機関サーバーから伝送された売上債券データを意味し、決済代行サーバーで言及される売上債券または売上債券情報は売上債券データを意味することで以下同一）や電子証書に対する情報が記録されたＤＢである。
【００２０】
決済代行勘定ＤＢ１２は会員ＤＢ１１と一体で構成されることもできる。
【００２１】
電子証書ＤＢ１３は発行された電子証書と係わる情報が記録されたＤＢで、  約定額、約定日、現金化要請日、現金化日、現金化手数料率などのフィールドで構成される。
【００２２】
電子証書ＤＢ１３の電子証書と決済代行勘定ＤＢ１２の電子証書は互いに交差チェックされることが望ましい。電子証書ＤＢ１３には売上債券に対する情報も含まれていることが望ましい。
【００２３】
電子証書の受領社、約定額、約定日は発行社が決めて発行するようにする。
【００２４】
支給日は実際に約定額が現金化された日付であり、現金化要請日は受領社が約定額の現金化を要請した日付であり、現金化日は発行社が受領社に約定額または現金化手数料率によって手数料を控除し残った金額で現金化した日付、現金化手数料率は発行社が電子証書の発行の時に決めた現金化の時に控除する手数料率として受領社が電子証書の現金化の時負担しなければならない手数料率である。
【００２５】
会員ＤＢ１１、決済代行勘定ＤＢ１２、電子証書ＤＢ１３は必要によって一つのＤＢに統合されることもできて、多数のＤＢに分割されることもできる。
【００２６】
売上債券データ受信モジュール１５は金融機関サーバー５０から伝送される売上債券のデータを受信し、当該会員の決済代行勘定ＤＢ１２に貯蔵する。
【００２７】
現金化手数料率設定モジュール１６は発行社で発行する電子証書の現金化手数料率を設定するようにするモジュールである。
【００２８】
現金化手数料率設定モジュール１６は、発行社が端末を通じて電子証書の発行を要請する時、発行社の決済代行勘定ＤＢ１２にある売上債券と電子証書のリストと情報を発行社の端末にディスプレイし、発行社が発行する電子証書の金額と約定日を選択するようにした後、ディスプレイされた売上債券と電子証書の内一つまたは二つ以上を選択し、選択された電子証書の金額を選択すれば、該当の電子証書の金額別現金化手数料率の加重平均を求め、求められた加重平均された現金化手数料率に所定の数値（システム手数料、運営手数料、サーバー手数料、中小企業振興補償手数料など）を加えて発行する電子証書の現金化手数料率を設定する。この時、発行社の決済代行勘定ＤＢ１２にあるすべての売上債券と電子証書をディスプレイすることもできるが、約定日が所定の期間以上残っているとか、約定日が所定の日付以後の電子証書のみをディスプレイするのが望ましい。これは約定日があまり残ってない電子証書を支給停止することより、約定日がたくさん残った電子証書を支給停止し、約定日があまり残ってない電子証書は現金化した後にすぐ現金で使うのが発行社に有利であるからである。発行社が所望する場合には約定日があまり残ってない売上債券や電子証書を支給停止することもできる。
【００２９】
現金化手数料率設定モジュール１６は、上のように発行社の決済代行勘定ＤＢ１２にある売上債券及び電子証書を発行社の端末にディスプレイし発行社が支給停止する電子証書を選択するようにすることもできるが、発行社が発行する電子証書の現金化手数料率を決めるだけで自動に支給停止する売上債券及び電子証書を選定することもできる。すなわち、発行社の端末に発行する電子証書の金額と約定日及び現金化手数料率を選択するようにディスプレイ（発行社が任意に入力するようにすることもできる。）し、発行社が発行する電子証書の金額と約定日及び現金化手数料率を選択すれば、前記現金化手数料率で所定の数値（システム手数料、運営手数料、サーバー手数料、中小企業振興補償手数料など）を差引した数値と同一になる発行社の決済代行勘定ＤＢ１２にある電子証書の現金化手数料率の加重平均の組合を求める。前記組合が多数である場合には発行社に一番有利（一番約定日が遅れた組合、発行者の信用等級が低い電子証書の組合など）なことで強制で選定するとか、発行社が選択をするようにできる。
【００３０】
現金化手数料率設定モジュール１６は、発行社が発行する電子証書の発行金額、約定日（満了日）を選択すれば、発行社の勘定にある売上債券と電子証書から組合されることができる現金化手数料率を発行社の端末でディスプレイし、発行社がディスプレイされた現金化手数料率の中で何れかの一つを選択するようにすることで、現金化手数料率に当たる売上債券と電子証書が選定されるようにすることもできる。
【００３１】
電子証書発行モジュール１７は、現金化手数料率設定モジュール１６によって現金化手数料率が設定されれば、現金化手数料率設定の時選択された売上債券と電子証書の当該金額を支給停止し、受領社に電子証書を発行する。電子証書は受取人（受領社）に電子的に伝達する。電子証書は通常の電子手形や購買カード決済伝票と同一、類似に処理される。必要によっては別に受領社に電子証書が発行されたことを知らせることもでき、実物で発行して伝達することもできる。発行社の決済代行勘定ＤＢ１２にも発行された電子証書を記録する。
【００３２】
前記支給停止は別途の支給停止モジュールによって遂行されることもでき、前記現金化手数料率設定モジュール１６が遂行することもできる。支給停止された売上債券や電子証書は今後の約定日が経過して発行社から発行社の金融勘定で入金される場合、該当該電子証書の支給停止は解除され、入金された現金に対して支給停止され、発行社は電子証書発行の時にここに同意するようにすることが望ましい。金融機関では発行社の金融勘定に入金された現金に対してはＭＭＦ、ＣＭＡなど利率が高い商品で運用し支給停止されていながらも高い利子を受けるようにすることが望ましい。
【００３３】
支給要請モジュール１８は電子証書を受取した受領社が必要によって電子証書を現金化して支払ってもらうのを要請することで、支給要請画面を受領社に提供し、受領社は約定額の先支給を要請する。
【００３４】
いずれか一つの受領社が支給要請モジュール１８を通じて受領した電子証書の約定額の支給要請があれば、経路追跡モジュール１９は受領社が支給要請した電子証書の発行と関連があるすべての電子証書と売上債券に対する経路を追跡する。すなわち、支給要請された電子証書が発行されるために支給停止された電子証書、前記支給停止された電子証書が発行されるために支給された電子証書を継続順に追跡する。追跡結果いずれの電子証書または売上債券が既に現金化（約定日が経過し発行社から現金が入金されている場合）された場合には前記電子証書や売上債券に対してはこれ以上追跡する必要がない。
【００３５】
現金化モジュール２０は、前記経路追跡モジュール１９によって追跡された売上債券と電子証書の内で一番最初の売上債券や電子証書から順に現金化をする。
【００３６】
すなわち、追跡された最初の売上債券は決済代行サーバー１０から買い入れるとか、金融機関で割引をし割引された金額を当該の金融勘定に移替するとか、売上債券を担保で金融機関で貸し出しを発生することもできる。最初の電子証書に対しては発行者の金融勘定には既に現金化されているので、当該の電子証書発行者の金融勘定で現金化手数料率を控除し当該の電子証書受領者の金融勘定に現金で入金させる。発行社または受領社は会員加入の時または電子証書発行の時に支給停止された売上債券の現金化が要請される場合、  買入、割引、貸し出しなどを通じて現金化することに同意するようにすることが望ましい。
【００３７】
現金化モジュール２０は、以後の電子証書に対して継続発行社の金融勘定で現金化手数料率による手数料を控除し受領社の金融勘定で現金入金をする。  この時、現金化手数料率による手数料で控除することは受領社の現金化手数料率と発行社の現金化手数料率の差額である。
【００３８】
中小企業振興報償金支給モジュール２１は現金化手数料率によって控除した手数料中一部を受領社が連鎖不渡りにならないように本発明に係る電子決済方法で決済をした代価で発行社に中小企業振興補償金で支給する。前記中小企業振興補償金は必要によって名称が変更されることができる。
【００３９】
図２は本発明の一実施形態に係るデータフロー図である。図２を注意深く見れば、売上債券発行社は金融勘定でＡ社の金融勘定で売上債券を発行（１）する。
【００４０】
金融機関サーバーではＡ社金融勘定で入って来た売上債券に対するデータを決済代行システムに伝送し、決済代行システムではＡ社の決済代行勘定に売上債券データを記録（２）する。
【００４１】
Ａ社は端末で決済代行システムに接続し、保有している売上債券（売上債券データを意味）や電子証書を担保でＢ社に電子証書を発行（３）する。
【００４２】
Ｂ社は端末で決済代行システムに接続して、保有している売上債券（売上債券データを意味する）や電子証書を担保でＣ社に電子証書を発行（４）する。
【００４３】
Ｃ社は端末で決済代行システムに接続し保有している売上債券（売上債券データを意味する）や電子証書を担保でＤ社に電子証書を発行（５）する。
【００４４】
前記（５）段階以後にも、Ｄ社は他の社に電子証書を発行することができる。
【００４５】
電子証書の発行（３，４，５）時には受領社、約定額、約定日（満了日）などの情報を記載しなければならない。受領社が会員ではない場合には受領社が会員加入をするようにした後進行されることもでき、必要によっては会員ではない受領社に電子証書を発行し、追後受領社が会員加入をするようにすることもできる。
【００４６】
電子証書の発行（３，４，５）時には受領社、約定額、約定日（満了日）、前記電子証書と連関された既受領した売上債券、電子証書などの電子証書データが金融機関サーバーに伝送されることが望ましい。
【００４７】
決済代行サーバーでは発行社が選択可能な現金化手数料率を自動で発行社に知らせて現金化手数料率を選択するようにするとか、発行社の勘定にある電子証書を選択するようにすることで現金化手数料率が計算されるようにして現金化手数料率を設定する。
【００４８】
発行社が要請した発行額（約定額）が発行社が保有した電子証書の範囲を超過するなど担保能力が不足な場合には電子証書が発行されないこともある。
【００４９】
電子証書を受領した受領社は、約定日（満了日）に約定額（電子証書に記載した金額）を発行社から支払ってもらう。約定額の支給は発行社の金融勘定で受領社の金融勘定で当該の金額が移替されることで遂行される。
【００５０】
Ｄ社は決済代行システムに（５）段階でＣ社から受けた電子証書の現金化を要請（６）する。
【００５１】
現金化要請段階（６）は、電子証書を受領した受領社が約定日（満了日）が経たない場合に決済代行システムに現金化（約定額の支給）を要請することを意味する。現金化要請は約定日以前に支給を受けることで発行社が決めた現金化手数料率による費用を控除し支払ってもらうということを意味する。
【００５２】
受領社が現金化要請（６）をすれば、決済代行システムではＤ社が現金化を要請した電子証書の発行履歴を追跡（７，８，９）する。実質的に決済代行システムでは現金化要請された電子証書の発行のために使われたあらゆる売上債券と電子証書の経路が追跡され、それぞれの経路にある最初の売上債券または電子証書を探索する。
【００５３】
＊追跡結果、最初売上債券がまだ現金化されなかったので、決済代行システムではＡ社の金融勘定にある売上債券を買入（１０）し、買入代金（割引金額）をＡ社の金融勘定に入金（１１）する。売上債券買入（１０）段階と割引金額入金（１０）段階は必要によって、金融機関サーバーで自主的に割引をしてくれるとか、担保貸し出しをしてくれることで取り替えられることもできる。
【００５４】
追跡した結果、売上債券は既に現金化されている場合（例えば、Ａ社が売上債券発行社から受けた売上債券が満了日が経過して現金化がされている場合）には、最初の電子証書から現金化をする。すなわち、（１０，１１）段階は遂行されない。
【００５５】
Ａ社の金融勘定に入金された現金は現金化手数料が控除されＢ社の金融勘定に現金化され入金（１２）され、Ｂ社の金融勘定に入金された現金は現金化手数料が控除されＣ社の金融勘定に現金化され入金（１３）され、Ｃ社の金融勘定に入金された現金は現金化手数料が控除されＤ社の金融勘定に現金化されて入金（１４）される。
【００５６】
前記Ａ社、Ｂ社、Ｃ社、Ｄ社の金融勘定はそれぞれ各業体の決済代行勘定に特定化されているし、金融機関サーバーと決済代行システムは緊密に各種データを交換することで、なだらかに  現金化入金（１２，１３，１４）が遂行される。
【００５７】
売上債券の満了日が到逹すれば、売上債券発行社の金融勘定から決済代行システムに売上債券金額が入金（１５）される。
【００５８】
ここで、売上債券買入（１０）段階と割引金額入金（１１）段階、売上債券金額入金（１５）段階は決済代行システムで遂行することに示したが、これは理解の便宜のためのことであり、実質的にはそれぞれ決済代行システム（決済代行システムの運営社を意味する）の金融勘定に売上債券買入（１０）され、決済代行システム（決済代行システムの運営社を意味）の金融勘定でＡ社の金融勘定に割引金額が入金（１１）され、売上債券発行社の金融勘定で決済代行システム（決済代行システムの運営社を意味する）の金融勘定で売上債券金額が入金（１５）されることを意味する。
【００５９】
現金化入金（１２，１３，１４）時に造成された手数料はシステム手数料、管理手数料、中小企業振興補償金などで構成される。システム手数料は本発明に係る決済代行システム提供社、管理手数料は金融機関、中小企業振興補償金は発行社に提供される。
【００６０】
中小企業振興補償金はいずれか一つの電子証書の受領社の現金化手数料率と発行社が受けた電子証書（支給停止された電子証書を意味する）の現金化手数料率の差による手数料の１／２位が適当である。中小企業振興補償金は必要によって支給しないとか、支給率を減らすか増やすこともできる。
【００６１】
前記図１及び図２による本発明の一実施形態を挙げれば次のようである。以下、発行する電子証書の現金化手数料率は発行社の勘定で支給停止される電子証書の現金化手数料率で月０．２％が加わることで仮定する。
【００６２】
事例１
社Ａが社Ｂから１億ウォン相当の物品を納品受け、３ヶ月の後に決済することにして、買入手数料率は月０．５％（買入手数料率は銀行の割引手数料または決済代行システムで買入する時適用する手数料）にして売上債券を発行する場合、
【００６３】
社Ａ（社Ａは元元請社として信用度が高いので金融機関で信用で売上債券を発行するようにすると仮定）は受領社：社Ｂ、発行日：２００８．３．１、約定日（支給日）：２００８．６．１、買入手数料率：月０．５％（買入手数料は社Ｂが他機関で先買入をするとか、金融機関で割引をする場合他の機関または金融機関で決める割引率）を条件で売上債券を発行した
【００６４】
前記売上債券は社Ｂの金融勘定に発行されたし、社Ｂの金融勘定にある売上債券データは社Ｂが会員に加入されている決済代行システムに伝送され、社Ｂの決済代行勘定に入力された。
【００６５】
社Ｂは売上債券に対する直ちに現金化が必要なかったし、社Ａから受領した売上債券を保有していた。
【００６６】
２００８．５．１に社Ｂは社Ｃから７千万ウォン相当の物品を納品受け、社Ｂは決済代行システムに接続し、３ヶ月の後に決済することで現金化手数料率は月０．７％（発行する電子証書１の現金化手数料率は支給停止される売上債券の現金化手数料率に月０．２％が追加されることで本発明に係る決済代行システムで決めること）にして電子証書１を発行するようになった。
【００６７】
社Ｂは金融勘定にある売上債券の金額中７千万ウォンに対しては支給停止されたし、電子証書１の受領社は社Ｃであり、発行日：２００８．５．１、約定日（支給日）：２００８．８．１、現金化手数料：月０．７％を条件に発行された。この時、売上債券の金額中７千万ウォンは社Ｂで任意に現金化することができない。
【００６８】
社Ｃは電子証書１に対する直ちに現金化が必要だったし、社Ｂから受領した電子証書１の直ちに現金化を決済代行システムに要請した。
【００６９】
決済代行システムでは、社Ｃが現金化を要請した電子証書１に対する発行経路を追跡し、売上債券（現金化金額：７千万ウォン）と電子証書１（現金化金額：７千万ウォン）を現金化しなければならないし、売上債券が最初の証書であることを確認した。
【００７０】
決済代行システムでは、電子証書１に対するデータ（発行社名、受領社名、発行金額、約定日、現金化手数料率など）を金融機関サーバーで伝送した。
【００７１】
１段階  ：  決済代行システムでは売上債券の金額中７千万ウォンを買入することでする。決済代行システムでは売上債券の金額中７千万ウォンにあたる現金化手数料７千万ウォン＊１ヶ月＊０．５％＝３５０、０００ウォンを計算したし、これを控除した６９、６５０、０００ウォンが社Ｂの金融口座に入金され、現金化手数料３５０、０００ウォンは買入による利子（決済代行システム分、銀行で貸し出すとか買い入れる場合には銀行分）、システム使用手数料（決済代行システム分）、管理手数料などで使われることできるが、ここでは買入による利子にだけ使われると仮定する。
【００７２】
２段階：決済代行システムでは電子証書１の７千万ウォンにあたる全体現金化手数料７千万ウォン＊３ヶ月＊０．７％＝１、４７０、０００ウォンを計算したし、これを控除した６８、５３０、０００ウォンが社Ｂの口座から社Ｃの口座に入金されなければならないし、この段階で決済代行システムで社Ｂの口座から受ける現金化手数料は４２０、０００ウォン（７千万ウォン＊３ヶ月＊現金化手数料率の差０．２％）であるので（現金化手数料率の差０．２％  ＝  電子証書１の現金化手数料率０．７％−売上債券の買入手数料率０．５％）、社Ｂの金融口座で６８、９５０、０００ウォンが引き出しされ、社Ｃの金融口座に６８、５３０、０００ウォンが入金され、決済代行システムの金融口座に４２０、０００ウォンが入金される。
【００７３】
現金化手数料４２０、０００ウォンはシステム使用手数料（決済代行システム分、２１０、０００と仮定）と中小企業振興補償金（社Ｂの分、２１０、０００ウォンと仮定）などで使われる。
【００７４】
ここで、前記１段階で社Ｂの口座に入金された６９、６５０、０００ウォンから２段階で社Ｂの口座で引き出しされた６８、９５０、０００ウォンとの差である７００、０００ウォンは、売上債券と電子証書１の残った期間の差によって発生する社Ｂの収益（７千万ウォン＊２ヶ月＊０．５％）である。
【００７５】
各機関別損益を注意深く見れば、社Ａは元々支給しなければならない１億ウォンを決まった時期（２００８．６．１）に支給すれば良いので損益がないし、社Ｂは売上債券と電子証書１の残った期間の差によって発生する収益  ７００、０００ウォンと中小企業振興補償金２１０、０００ウォンの収益が発生し、社Ｃはたとえ１、４７０、０００ウォンの現金化手数料を支払うことはするが３ヶ月早く現金化することができる長所があり、決済代行システムは売上債券７千万ウォンを１ヶ月先買入しくれ発生する利子３５０、０００ウォン（売上債券を銀行で買入するとか貸し出しをしてくれる場合には銀行分）とシステム使用手数料２１０、０００ウォンの収益が発生する。
【００７６】
事例２
社Ａが社Ｂから１億ウォン相当の物品を納品受け、３ヶ月の後に決済することにして、買入手数料率は月０．５％にして売上債券を発行する場合、
【００７７】
社Ａ（社Ａは元請社として信用度が高いので金融機関で信用に売上債券や電子証書等を発行するようにすると仮定）は受領社：社Ｂ、発行日：２００８．３．１、約定日（支給日）：２００８．６．１、買入手数料率：月０．５％（買入手数料は社Ｂが他の機関で先買入をするとか、金融機関で割引をする場合他の機関または金融機関で決める割引率）を条件で売上債券を発行した。
【００７８】
前記売上債券は社Ｂの金融勘定に発行されたし、社Ｂの金融勘定にある売上債券データは社Ｂが会員に加入されている決済代行システムに伝送され、社Ｂの決済代行勘定に入力された。
【００７９】
社Ｂは売上債券に対する直ちに現金化が必要なかったし、社Ａから受領した売上債券を保有していた。
【００８０】
２００８．４．１に社Ｂは社Ｃから７千万ウォン相当の物品を納品受け、社Ｂは決済代行システムに接続し、３ヶ月の後に決済することで現金化手数料率は月０．７％（発行する電子証書１の現金化手数料率は支給停止される売上債券の現金化手数料率に月０．２％が追加されることで本発明に係る決済代行システムで決めること）にして電子証書１を発行するようになった。
【００８１】
社Ｂは金融勘定にある売上債券の金額の内７千万ウォンに対しては支給停止されたし、電子証書１の受領社は社Ｃであり、発行日：２００８．４．１、約定日（支給日）：２００８．７．１、現金化手数料：月０．７％を条件に発行された。この時、社Ｂの金融勘定にある売上債券の金額の内７千万ウォンは社Ｂで任意に現金化することができない。電子証書１は社Ｃの決済代行勘定に発行された。
【００８２】
社Ｃは電子証書１に対する直ちに現金化が必要なかったし、社Ｂから受領した電子証書１を保有していた。
【００８３】
２００８．５．１に社ＣはＤ社から５千万ウォン相当の物品を納品受けて、３ヶ月の後に決済することで現金化手数料率は月０．９％（発行する電子証書２の現金化手数料率は支給停止される電子証書１の現金化手数料率に月  ０．２％が追加されることで本発明に係る決済代行システムで決めることである）にして電子証書２を発行するようになった。
【００８４】
社Ｃは決済代行勘定にある電子証書１の金額中５千万ウォンに対しては支給停止されたし、電子証書２の受領社：Ｄ社であり、発行日：２００８．５．１、約定日（支給日）：２００８．８．１、手数料：月０．９％を条件に発行された。この時、電子証書１の金額中５千万ウォンは社Ｃで任意に現金化することができない。
【００８５】
Ｄ社は電子証書２に対する直ちに現金化が必要であったし、社Ｃから受領した電子証書２の直ちに現金化を決済代行システムに要請した。
【００８６】
本発明に係る決済代行システムでは、Ｄ社が現金化を要請した電子証書２に対する発行経路を追跡し、売上債券（現金化金額：５千万ウォン）、電子証書１（現金化金額：５千万ウォン）、電子証書２（現金化金額：５千万ウォン）を現金化しなければならないし、売上債券が最初の証書であることを確認した。
【００８７】
決済代行システムでは、電子証書１、電子証書２に対するデータ（発行社名、受領社名、発行金額、約定日、現金化手数料率など）を金融機関サーバーに伝送した。
【００８８】
１段階：決済代行システムで売上債券の金額中５千万ウォンを買入することでする。決済代行システムでは売上債券の金額中５千万ウォンにあたる現金化手数料５千万ウォン＊１ヶ月＊０．５％＝２５０、０００ウォンを計算したし、これを控除した６９、７５０、０００ウォンが社Ｂの金融口座に入金（銀行で割引をしてくれる場合は銀行で社Ｂの金融口座に入金）され、先買入手数料２５０、０００ウォンは買入によった利子（決済代行システム分  、銀行で貸し出すとか買入する場合には銀行分、システム使用手数料（決済代行システム分）、管理手数料などで使われることあるが、ここでは買入による利子にだけ使われると仮定する。
【００８９】
２段階：決済代行システムでは電子証書１中５千万ウォンにあたる全体現金化手数料５千万ウォン＊２ヶ月＊０．７％＝７００、０００ウォンを計算したし、これを控除した４９、３００、０００ウォンが社Ｃの金融口座に入金されなければならないし、この段階で決済代行システムで受けなければならない現金化手数料は２００、０００ウォン（５千万ウォン＊２ヶ月＊現金化手数料率の差０．２％）であるので（現金化手数料率の差０．２％  ＝  電子証書１の現金化手数料率０．７％  −  売上債券の買入手数料率０．５％）、社Ｂの金融口座から４９、５００、０００ウォンが引き出しされてこの中で４９、３００、０００ウォンは社Ｃの金融口座に入金され、２００、０００ウォンは決済代行システムの金融口座に入金される。
【００９０】
現金化手数料２００、０００ウォンはシステム使用手数料（決済代行システム分、１００、０００ウォンと仮定）と中小企業振興補償金（社Ｂの分、１００、０００ウォンと仮定）などで使われる。
【００９１】
ここで、前記１段階で社Ｂの金融口座に入金された４９、７５０、０００ウォンと２段階で社Ｂの口座で引き出しされた４９、５００、０００ウォンの差２５０、０００ウォンは、売上債券と電子証書１の残った期間の差によって発生する社Ｂの収益（５千万ウォン＊１ヶ月＊０．５％）である。
【００９２】
３段階：決済代行システムでは電子証書２の５千万ウォン全体にあたる全体現金化手数料５千万ウォン＊３ヶ月＊０．９％＝１、３５０、０００ウォンを計算したし、これを控除した４８、６５０、０００ウォンが社Ｃの口座からＤ社の口座に入金されなければならないし、この段階で決済代行システムが社Ｃの口座から受ける現金化手数料は３００、０００ウォン（５千万ウォン＊３ヶ月＊現金化手数料率の差０．２％）なので（現金化率の差０．２％  ＝  電子証書２の現金化手数料率０．９％  −  電子証書１の現金化手数料率０．７％）、社Ｃの金融口座から４８、９５０、０００ウォンが引き出しされこの中で４８、６５０、０００ウォンはＤ社の金融口座に入金され、３００、０００ウォンは決済代行システムの金融口座に入金れる。
【００９３】
現金化手数料３００、０００ウォンはシステム使用手数料（決済代行システム分、１５０、０００ウォンと仮定）と中小企業振興補償金（社Ｃの分、１５０、０００ウォンと仮定）などで使われる。
【００９４】
ここで、前記１段階で社Ｃの金融口座に入金された４９、３００、０００ウォンと３段階で社Ｃの口座から引き出しされた４８、６５０、０００ウォンの差３５０、０００ウォンは、電子証書１と電子証書２の残った期間の差によって発生する社Ｃの収益（５千万ウォン＊１ヶ月＊０．７％）である。
【００９５】
各機関別損益を注意深く見れば、社Ａは元々支給しなければならない１億ウォンを決まった時期（２００８．６．１）に支給すれば良いので損益がないし、社Ｂは売上債券と電子証書１の残った期間の差による収益２５０、０００ウォンと中小企業振興補償金１００、０００ウォンの収益が発生し、社Ｃは電子証書１と電子証書２の残った期間の差による収益３５０、０００ウォンと中小企業振興補償金１５０、０００ウォンの収益が発生し、Ｄ社はたとえ１、３５０、０００ウォンの現金化手数料を支払うことはするが３ヶ月早く現金化することができる長所があり、決済代行システムは売上債券５千万ウォンを１ヶ月先買入するによる利子２５０、０００ウォンと管理手数料２５０、０００ウォン（１００、０００ウォン＋１５０、０００ウォン）の収益が発生する。
【００９６】
事例３
社Ａが社Ｂから１億ウォン相当の物品を納品受け、３ヶ月の後に決済することにして、買入手数料率は月０．５％にして売上債券を発行する場合、
【００９７】
社Ａ（社Ａは元請社として信用度が高いので金融機関で信用で売上債券や電子証書等を発行するようにすると仮定）は受領社：社Ｂ、発行日：２００８．３．１、約定日（支給日）：２００８．６．１、買入手数料率：月０．５％（買入手数料は社Ｂが他の機関で先買入をするとか、金融機関で割引をする場合他の機関または金融機関で決める割引率）を条件で売上債券を発行した。
【００９８】
前記売上債券は社Ｂの金融勘定に発行されたし、社Ｂの金融勘定にある売上債券データは社Ｂが会員に加入されている決済代行システムで伝送され、社Ｂの決済代行勘定に入力された。
【００９９】
社Ｂは売上債券に対する直ちに現金化が必要なかったし、社Ａから受領した売上債券を保有していた。
【０１００】
２００８．４．１に社Ｂは社Ｃから７千万ウォン相当の物品を納品受け、社Ｂは決済代行システムに接続し、３ヶ月の後に決済することで現金化手数料率は月０．７％（発行する電子証書１の現金化手数料率は支給停止される売上債券の現金化手数料率に月０．２％が追加されることで本発明に係る決済代行システムで決めること）にして電子証書１を発行するようになった。
【０１０１】
社Ｂは金融勘定にある売上債券の金額中７千万ウォンに対しては支給停止されたし、電子証書１の受領社は社Ｃであり、発行日：２００８．４．１、約定日（支給日）：２００８．７．１、現金化手数料：月０．７％を条件に発行された。この時、社Ｂの金融勘定にある売上債券の金額中７千万ウォンは社Ｂで任意に現金化することができない。電子証書１は社Ｃの決済代行勘定に発行された。
【０１０２】
社Ｃは電子証書１に対する直ちに現金化が必要なかったし、社Ｂから受領した電子証書１を保有していた。
【０１０３】
２００８．５．１に社ＣはＤ社から５千万ウォン相当の物品を納品受け、３ヶ月の後に決済することで現金化手数料率は月０．９％（発行する電子証書２の現金化手数料率は支給停止される電子証書１の現金化手数料率に月０．２％が追加されることで本発明に係る決済代行システムで決めること）にして電子証書２を発行するようになった。
【０１０４】
社Ｃは決済代行勘定にある電子証書１の金額中５千万ウォンに対しては支給停止されたし、電子証書２の受領社：Ｄ社であり、発行日：２００８．５．１、約定日（支給日）：２００８．８．１、手数料：月０．９％を条件に発行された。この時、電子証書１の金額中５千万ウォンは社Ｃで任意に現金化することができない。
【０１０５】
Ｄ社は電子証書２に対する直ちに現金化が必要なかったし、社Ｃから受領した電子証書２を満了日まで保管している。
【０１０６】
決済代行システムでは、電子証書１、電子証書２に対するデータ（発行社名、受領社名、発行金額、約定日、現金化手数料率など）を金融機関サーバーに伝送した。
【０１０７】
１段階（２００８．６．１）：社Ａの金融勘定では２００８．６．１に社Ｂの金融勘定で１億ウォンが入金され、社Ｂの金融勘定の売上債券に対する支給停止が解けて（満了日が経過されたので支給停止を解かなくても関係ない）、社Ｂの金融勘定の現金７千万ウォンに対して支給停止される。社Ｂの金融勘定で１億ウォンが入金されることと７千万ウォンに対して支給停止されることは同時に遂行されることが望ましい。社Ｂの金融勘定で１億ウォンの入金される時点が不明な場合には、社Ｂの金融勘定の売上債券に対する支給停止を解かないで、満了日の開始と同時に社Ｂの金融勘定の支給停止された金額に現金７千万ウォンを追加に支給停止することが望ましい。
【０１０８】
２段階（２００８．７．１）：社Ｂの金融勘定では２００８．７．１に社Ｃの金融勘定で７千万ウォンが入金され、社Ｃの決済代行勘定の電子証書１に対する支給停止が解けて（満了日が経過されたので支給停止を解かなくても関係ない）、社Ｃの金融勘定の現金５千万ウォンに対して支給停止される。社Ｃの金融勘定で７千万ウォンが入金されることと５千万ウォンに対して支給停止されることは同時に遂行されることが望ましい。社Ｃの金融勘定で７千万ウォンか入金される時点が不明な場合には、社Ｃの金融勘定の電子証書１に対する支給停止を解かないで、満了日の開始と同時に社Ｃの金融勘定の支給停止された金額に現金５千万ウォンを追加に支給停止することが望ましい。
【０１０９】
３段階（２００８．８．１）：社Ｃの金融勘定では２００８．８．１にＤ社の金融勘定で５千万ウォンが入金され、Ｄ社の決済代行勘定の電子証書２に対する支給停止がされていないので、他の措置なしに終わる。
【０１１０】
社Ｂ、Ｃ、Ｄの勘定に入金された金額に対してはたとえ支給停止されているが、ＭＭＦ、ＣＭＡなどの短期金融では一番高い金利が適用されるようにして、たとえ余剰資金でも高い金利を受けることができるようにすることが望ましい。
【０１１１】
前記事例で見られるところのように、本発明に係る電子決済方法では最終社は現金化手数料位損害を被ることであるが、実質的には異なる所よりさらに少ない費用で電子証書を現金化することができるし、既存の手形とは異なり支給停止された電子証書または売上債券に対しては請求権がなくて上位発行社の不渡りに影響を受けないので、実質的には係わるすべての社、機関が利益を創出する構造であることが分かる。
発明の実施のための形態
【０１１２】
前記のような従来技術の問題点を解決するために、本発明に係る電子決済方法は、決済代行サーバーとネットワークと、前記ネットワークを通じて前記サーバーに接続される端末及び前記ネットワークに繋がれる金融機関サーバーを利用した電子決済方法において、売上債券発行社から金融機関サーバーの金融勘定に売上債券が発行される売上債券発行段階と、前記売上債券と係わるデータが前記決済代行サーバーの決済代行勘定に伝送される
売上債券データ伝送段階と、既受領した売上債券または電子証書を担保で発行社の決済代行勘定から受領社の決済代行勘定に現金化手数料率が決まった電子証書が発行される電子証書の発行段階と、前記受領社が発行社になって、他の受領社の決済代行勘定に前記電子証書の発行段階が遂行される繰り返し段階と、前記電子証書の発行段階または前記繰り返し段階で発行された電子証書の担保になった既受領した売上債券または電子証書が、担保された金額位支給停止されるとか支給要請が不能化される支給停止段階と、受領社が受領した電子証書の内でいずれか一つの電子証書に対する現金支給が要請される支給要請段階と、前記決済代行サーバーで前記支給要請段階で現金支給が要請された電子証書と係わるすべての電子証書または売上債券の経路を追跡する追跡段階と、前記追跡段階で追跡された経路中、満了日が渡来しなかった売上債券がある場合には前記売上債券を現金化し、満了日が渡来しない最初の電子証書から順にそれぞれの電子証書に記載した現金化手数料率を適用して現金化手数料を控除し連携された金融勘定に入金させ現金化させる現金化段階とを有する。
【０１１３】
前記電子証書の発行段階次に、発行した電子証書のデータが前記金融機関サーバーに通報される電子証書データ通報段階と、前記電子証書の満了日が渡来すれば、発行社の金融勘定から受領社の金融勘定に電子証書に記載した金額が支給される電子証書額支給段階と、発行社が既受領した売上債券または電子証書の満了日が渡来すれば、前記既受領した売上債券または電子証書と連関されて発行された電子証書の金額位の現金が発行社の金融勘定で支給停止される現金支給停止段階とを含むことが望ましい。
【０１１４】
前記現金化段階で、前記売上債券の現金化は、前記売上債券に対して貸し出しを発生させるとか、前記売上債券を所定の割引率を適用して買入し現金化することが望ましい。
【０１１５】
前記現金化段階は、いずれか一つの電子証書の現金化手数料率によって控除した現金化手数料中一部を前記電子証書の発行社に中小企業振興補償金で追加して支払うとか、前記現金化段階でいずれか一つの電子証書の現金化手数料率によって控除した現金化手数料中一部を前記電子証書の発行社に中小企業振興補償金に支払う中小企業振興報償金支給段階とを有することが望ましい。
【０１１６】
前記電子証書の発行段階は、前記発行社に、発行社の決済代行勘定にある支給停止されなかった売上債券または電子証書の金額、現金化手数料率、満了期間を提示し、支給停止させる売上債券または電子証書と金額が選択されれば、前記金額による前記現金化手数料率の加重平均を求め、前記加重平均に所定の数値が加わって発行する電子証書の現金化手数料率で提示されることがある。
【０１１７】
前記電子証書の発行段階は、前記発行社の決済代行勘定にある支給停止されなかった売上債券または電子証書の金額から組合が可能な発行する電子証書の現金化手数料率を前記発行社に提示して選択するようにすることができる。
【０１１８】
前記電子証書の発行段階は、支給停止する売上債券または電子証書の満了期間の範囲を入力受け、前記発行社の決済代行勘定にある支給停止されなかった売上債券または電子証書の満了期間が前記範囲にあたる売上債券または電子証書を前記組合の対象とするのが望ましい。
【０１１９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１２０】
本発明はネットワークを利用した電子決済方法に使われることができる。
【符号の説明】
【０１２１】
１０．決済代行サーバー
１１．会員ＤＢ
１２．決済代行勘定ＤＢ
１３．電子証書ＤＢ
１５．売上債券データ受信モジュール
１６．現金化手数料率設定モジュール
１７．電子証書発行モジュール  
１８．支給要請モジュール
１９．経路追跡モジュール  
２０．中小企業振興報償金支給モジュール
３０．ネットワーク  
４０．端末機
５０．金融機関サーバー  
５１．会員ＤＢ
５２．金融勘定ＤＢ  
５４．売上債券発行モジュール
５５．売上債券データ伝送モジュール  
５６．現金化モジュール
１  売上債券発行段階      ２  売上債券データ伝送段階
３  電子証書の発行段階    ４、５  繰り返し段階
６  支給要請段階          ７，８，９  追跡段階
１０，１１，１２，１３，１４  現金化段階    
１５  売上債券金額入金段階
【図１】
2011528464.tif 000003
【図２】
2011528464.tif 000004
【国際調査報告】
2011528464.tif 000005
2011528464.tif 000006
2011528464.tif 000007
2011528464.tif 000008